(57)【特許請求の範囲】
【請求項１】
方立と、方立間に取付けたパネルとを備え、方立は、見込方向に分割された室外側部材と室内側部材を有し、室外側部材と室内側部材とによりパネル保持溝が形成されるとともにパネル保持溝幅を調整自在に取付けてあり、溝幅を広くしたパネル保持溝にパネルを上方から落とし込んだ状態で、方立の室外側部材と室内側部材を互いに引き寄せてパネルを固定してあることを特徴とするカーテンウォール。
【発明の詳細な説明】
【技術分野】
【０００１】
本発明は、カーテンウォールに関する。
【背景技術】
【０００２】
従来より、方立に形成されたパネル保持溝にパネルを取付けたカーテンウォールが知られているが、一定の溝幅のパネル保持溝にパネルを取付けるのは容易ではなかった。
【発明の概要】
【発明が解決しようとする課題】
【０００３】
本発明は以上に述べた実情に鑑み、方立のパネル保持溝にパネルを取付ける作業のしやすいカーテンウォールの提供を目的とする。
【課題を解決するための手段】
【０００４】
上記の課題を達成するために請求項１記載の発明によるカーテンウォールは、方立と、方立間に取付けたパネルとを備え、方立は、見込方向に分割された室外側部材と室内側部材を有し、室外側部材と室内側部材とによりパネル保持溝が形成されるとともにパネル保持溝幅を調整自在に取付けてあり、溝幅を広くしたパネル保持溝にパネルを上方から落とし込んだ状態で、方立の室外側部材と室内側部材を互いに引き寄せてパネルを固定してあることを特徴とする。
【発明の効果】
【０００５】
請求項１記載の発明によるカーテンウォールは、方立が見込方向に分割された室外側部材と室内側部材を有し、室外側部材と室内側部材とによりパネル保持溝が形成されるとともにパネル保持溝幅を調整自在に取付けてあり、溝幅を広くしたパネル保持溝にパネルを上方から落とし込んだ状態で、方立の室外側部材と室内側部材を互いに引き寄せてパネルを固定することで、方立のパネル保持溝にパネルを上方から落とし込む際に、パネル保持溝の溝幅を固定時の溝幅よりも広くできるので、方立のパネル保持溝にパネルを取付ける作業がしやすい。
【図面の簡単な説明】
【０００６】
【図１】図６のＡ−Ａ断面図である。
【図２】図６のＢ−Ｂ断面図である。
【図３】方立と無目の交差部の斜視図である。
【図４】図６のＣ−Ｃ断面図である。
【図５】図６のＤ−Ｄ断面図である。
【図６】本発明に係るカーテンウォールの一実施形態を示す室外側正面図である。
【図７】図６のＥ−Ｅ断面図である。
【図８】本カーテンウォールの施工手順を示す斜視図であって、方立を取付けた後の状態を示す。
【図９】本カーテンウォールの施工手順を示す斜視図であって、無目を取付けた後の状態を示す。
【図１０】本カーテンウォールの施工手順を示す斜視図であって、スパンドレル部のパネルユニットの取付け方を示す。
【図１１】スパンドレル部のパネルユニットの取付け方を示す縦断面図である。
【図１２】方立（スパンドレル部）の横断面図であって、（ａ）はパネルユニットを方立のパネル保持溝に挿入した状態、（ｂ）は方立の室外側部材を室内側に引き寄せてパネルユニットを固定した状態を示す。
【図１３】本カーテンウォールの施工手順を示す斜視図であって、ビジョン部のガラスの取付け方を示す。
【図１４】ビジョン部のガラスの取付け方を示す横断面図である。
【図１５】ビジョン部のガラスの取付け方を示す縦断面図である。
【図１６】ビジョン部のガラスを室外側に取外す際の外し方を示す縦断面図である。
【図１７】ビジョン部のガラスを室外側に取外す際の外し方を示す横断面図である。
【発明を実施するための形態】
【０００７】
以下、本発明の実施の形態を図面に基づいて説明する。図１〜７は、本発明のカーテンウォールの一実施形態を示している。本カーテンウォールは、ビルの外壁を成すものであって、図６，７に示すように、建物の躯体４４に固定して方立１，１，…が左右方向に一定の間隔をあけて設けてあり、方立１，１，…間に無目２，３，…が架設してあり、方立１，１，…と無目２，３，…とで区画される開口部のうち、各階の床１２から天井１３までの範囲のビジョン部１４にあたる開口部にはガラス（複層ガラス）１０を取付け、天井１３から上階の床１２までの範囲のスパンドレル部１５にあたる開口部には、ガラス（単板ガラス）１６を上枠１７と下枠１８と左右の縦枠１９，１９とで四周枠組みしてなるパネルユニット４を取付けてある。本カーテンウォールは、建設現場に個別に搬入された方立１、無目２，３、ガラス１０及びパネルユニット４を、建設現場にて組み立てるノックダウン方式のものであり、また、ガラス１０及びパネルユニット４を室内側から取付けできるようにすることで、室外側に足場を設置することなく施工できるものである。
【０００８】
方立１は、図２に示すように、アルミ押出形材よりなる室外側部材５と室内側部材６を組み合わせて構成してある。室外側部材５は、室外側に大きく張り出した前後方向に細長い中空の台形状の断面に形成されており、この室外側部材５が強度を負担する部材となっている。室外側部材５の室内側壁２０には、左右方向の中央部に室内側部材６の室外側の中空部２１が挿入されるスリット２２が形成してあり、スリット２２の両側に爪片２３，２３が室内側に突出して設けてあり、さらにその外側に突条２４，２４が室内側に突出して設けてある。
室内側部材６は、室外側部材５のスリット２２に挿入される幅の狭い中空部２１と、その室内側に側方に張り出す幅広の中空部２５を一体に有している。幅広の中空部２５は、室外側部材５の室内側壁２０と略同じ幅に形成してあり、室外側部材５の室内側壁２０と室内側部材６の幅広の中空部２１との間に、スパンドレル部１５に装着されるパネルユニット４の縦枠１９を保持するパネル保持溝７が形成してある。
図７に示すように、室外側部材５はスパンドレル部１５とビジョン部１４に跨って設けてあり、室内側部材６はスパンドレル部１５にのみ設けてある。そして、室内側部材６が建物の躯体４４にファスナ２６で固定されている。
【０００９】
方立１の室内側部材６の上下端部には、図１〜３に示すように、アルミ製のピース材２７が室外側の中空部２１に上下から挿入して設けてある。このピース材２７には、ボルト挿通孔２８が室内外方向に水平に設けてあり、該ボルト挿通孔２８に室内側からボルト２９のネジ部２９ａを貫通させて、ピース材２７にボルト２９を保持してある。方立１の室外側部材５には、ナット３０が固定して設けてあり、ピース材２７から突出したボルト２９のネジ部２９ａがナット３０に螺合している。したがって、室内側からボルト２９の頭２９ｂを操作してボルト２９を回転させることで、ナット３０が固定された室外側部材５が室内外方向に移動し、それに伴ってパネル保持溝７の溝幅を調整できるようになっている。
【００１０】
図１に示すように、方立１の室内側部材６の上端部と下端部には、無目２，３がそれぞれブラケット３１ａ，３１ｂを介して取付けてある。方立室内側部材６上端部に取付けられる無目２は、ビジョン部１４のガラス１０の下側に位置するものであり、室外側壁の上部に設けた突条３２にガラス１０の室内側面を受ける内部ガラススペーサー３３が取付けられ、内部ガラススペーサー３３上のガラス１０の室内側面と無目２の室外側面との隙間にシール材３４が設けてある。同無目２の室外側壁の下部には、スパンドレル部１５に取付けられるパネルユニット４の上枠１７を係止する係止部３５が、室外側に突出して上向きに設けてある。係止部３５には、室外側に向けて上向きに傾斜した傾斜面３５ａを有している。
方立室内側部材６下端部に取付けられる無目３は、ビジョン部１４のガラス１０の上側に位置するものであり、無目３の下面にはガラス１０を室内側から支える押縁８が着脱自在に設けてある。同無目３の室外側面の下部には、パネルユニット４の下枠１８を係止する係止部３６が、室外側に突出して上向きに設けてある。この係止部３６も、室外側に向けて上向きに傾斜した傾斜面３６ａを有している。またこの係止部３６は、上方の無目２の係止部３５よりも室外側に張り出している。
【００１１】
スパンドレル部１５に取付けられるパネルユニット４は、図１，２に示すように、ガラス（単板ガラス）１６をアルミ形材よりなる上枠１７と下枠１８と左右の縦枠１９，１９とで四周枠組みしたものであり、予め工場で組み立てて現場に搬入され、図１０に示すように、上階の室内側から下階の方立１，１のパネル保持溝７間に落し込み、上枠１７と下枠１８を上述の無目２，３の係止部３５，３６に係止させて取付けられるものである。
上枠１７は、図１に示すように、方立室内側部材６上端部の無目２と合わさって、ビジョン部１４のガラス１０の下縁部を保持するガラス保持溝３７ａを構成する。上枠１７の室内側面の上部には、無目２の係止部３５と係止する被係止部３８が下向きの鉤状に設けてあり、その下方に気密材３９が設けてある。被係止部３８には、無目２の係止部３５の傾斜面３５ａと対向する傾斜面３８ａを有している。そのため、上枠１７の被係止部３８が無目２の係止部３５に係止すると、上枠１７が室内側に引き寄せられ、上枠１７の室内側面に取付けた気密材３９が無目２の室外側面に圧着する。上枠１７の上面には、ガラス敷板４０が設置され、ガラス敷板４０でビジョン部１４のガラス１０を受けている。上枠１７の上面の室外側には、押縁９が着脱自在に取付けてある。押縁９は、ガスケット４１を介してガラス１０を室外側から支えるガラス支持片４２と、上枠１７の室外側に垂下する垂下片４３を有している。このように、押縁９に垂下片４３を有していることで、上枠１７を隠すことができる。
下枠１８は、図１に示すように、方立室内側部材６下端部の無目３及びその下面に取付けられる押縁８と合わさって、ビジョン部１４のガラス１０の上縁部を保持するガラス保持溝３７ｂを構成する。下枠１８の室内側面には、無目３の係止部３６と係止する被係止部４５が下向きの鉤状に設けてあり、その上方に気密材３９が設けてある。被係止部４５には、無目３の係止部３６の傾斜面３６ａと対向する傾斜面４５ａを有している。そのため、下枠１８の被係止部４５が無目３の係止部３６に係止すると、下枠１８が室内側に引き寄せられ、下枠１８の室内側面に取付けた気密材３９が無目３の室外側面に圧着する。下枠１８の被係止部４５は、上枠１７の被係止部３８よりも室内側への突出長さが短くなっており、パネルユニット４を上方から落し込んだときに、下枠１８の被係止部４５が上側の無目２の係止部３５に引っ掛からないようになっている。また下枠１８は、室外側端部にガラス支持片４６が垂下して設けてあり、ガラス支持片４６の下端部にはガスケット４１が室内向きに装着してあり、ビジョン部１４のガラス１０の上縁部を室外側から支えている。下枠１８の上面の室外側には、押縁４８が着脱自在に設けてある。押縁４８は、ガスケット４９を介してパネルユニット４のガラス１６を室外側から支えるガラス支持片５０と、下枠１８のガラス支持片４６の室外側に重なる垂下片５１を有している。このように、押縁４８に垂下片５１を有することで、下枠１８のガラス支持片４６を隠すことができる。
縦枠１９は、図２に示すように、ガラス１６の側縁部を呑み込む略コ字型断面に形成され、室内側面に気密材３９が装着してある。縦枠１９の室外側面には、方立室外側部材５の突条２４の内側に突条５２が設けてあり、これにより縦枠１９が方立１のパネル保持溝７から外れるのを規制している。
パネルユニット４のガラス１６は、上下枠１７，１８及び縦枠１９とも室外側がガスケット４９、室内側がシール材５３で支持してある。
【００１２】
方立１のパネル保持溝７は、先に述べたように、ピース材２７に保持したボルト２９を操作することで溝幅を調整自在であり、パネルユニット４を上階の室内側から方立１，１間に落し込む際には、図１２（ａ）に示すように、ボルト２９を緩めてパネル保持溝７の溝幅を広くしておく。そして、パネルユニット４を方立１，１のパネル保持溝７に落し込み、上下枠１７，１８の被係止部３８，４５を無目２，３の係止部３５，３６に係止させた後、ボルト２９を締め付ける。すると、図１２（ｂ）に示すように、方立１の室外側部材５が室内側に引き寄せられ、それに伴いパネルユニット３の縦枠１９が方立室外側部材５の突条２４に押されて室内側に引き寄せられ、縦枠１９の室内側面に取付けた気密材３９がパネル保持溝７の室内側の壁に圧着する。すなわちパネルユニット４は、四周の全ての枠１７，１８，１９が室内側に引き寄せられ、各枠の室内側面に取付けた気密材３９が無目２，３及び方立１に圧着しており、これにより高い水密性が得られる。
【００１３】
ビジョン部１４のガラス１０は、上述のように方立１，１，…間にパネルユニット４を取付けた後、方立１，１，…と無目２，３とで形成される開口部に室内側から取付けられる。ビジョン部１４において方立１の室外側部材５の室内側には、図５に示すように、爪片２３に係止して方立補助材５４が取付けられる。方立補助材５４は、左右方向にのびてガラス１０の側縁部を室外側から支えるパネル支持片５５と、室内側にのびる見込み片５６とを有しており、パネル支持片５５と見込み片５６とは樹脂製の断熱材５７で連結してある。見込み片５６には、室内側から押縁１１が着脱自在に取付けられ、方立補助材５４と押縁１１とで形成されるガラス保持溝３７ｃにガラス１０の側縁部を保持している。方立補助材５４のパネル保持片５５にはガスケット４１が取付けてあり、押縁１１とガラス１０との隙間にはシール材３４が充填してある。
ガラス１０の上縁部は、図４に示すように、方立室内側部材６下端部に取付けた無目３と、無目３の室外側に係止したパネルユニット４の下枠１８、及び無目３の下面に取付けた押縁８とで形成されるガラス保持溝３７ｂに保持されている。ガラス１０の下縁部は、方立室内側部材６上端部に取付けた無目２と、無目２の室外側に係止したパネルユニット４の上枠１７、及び上枠１７の上面に取付けた押縁９とで形成されたガラス保持溝３７ａに保持されている。ビジョン部１４のガラス１０も、パネルユニット４のガラス１６と同様に、四周とも室外側がガスケット４１、室内側がシール材３４で支持してある。
【００１４】
次に、本カーテンウォールの施工手順を説明する。まず、図８に示すように、方立１，１，…を建物の躯体４４にファスナ２６で取付ける。この時点では、方立室外側部材５の室内側には室内側部材６のみが設けられ、方立補助材５４は取付けられていない。次に、図９に示すように、方立１，１，…間に無目２，３，…を架設する。
次に、図１０，１１に示すように、上階の室内側から下階の方立１，１のパネル保持溝７間にパネルユニット４を落し込む。このとき、図１２（ａ）に示すように、ピース材２７に保持したボルト２９を緩め、パネル保持溝７の溝幅を広くしておく。パネルユニット４を上方から落し込むと、その上枠１７及び下枠１８の室内側面に形成した被係止部３８，４５が無目２，３の係止部３５，３６に係止して、パネルユニット４が所定の高さ位置に保持される。その後、図１２（ｂ）に示すように、ボルト２９を締め付けて方立室外側部材５を室内側に引き寄せ、パネルユニット４を固定する。
次に、方立１，１，…に方立補助材５４を取付けた後、図１３〜１５に示すように、パネルユニット４の下方の開口部にビジョン部１４のガラス１０を室内側から入れる。その後、無目３と方立１に押縁８，１１をそれぞれ取付け、ガラス１０の周縁部の室内側にシール材３４を充填してガラス１０を固定する。
【００１５】
ビジョン部１４のガラス１０は、上述のように室内側から取付け・取外しできるが、施工後のメンテナンス時には、ガラス１０を室外側に取外すこともできる。このときの手順を説明すると、図１６に示すように、ガラス１０の下側に位置する無目２の室外側に設けてある押縁９を取外し、ガラス敷板４０も取外す。すると、ガラス１０が下に下がり、上側のガラス支持片４６から逃げた状態になる。その後、図１７に示すように、ガラス１０を左右けんどん式にて、方立１，１間から室外側に外す。ガラス１０を取付ける際には、上記と逆の手順で行う。
【００１６】
以上に述べたように本カーテンウォールは、方立１が見込方向に分割された室外側部材５と室内側部材６を有し、室外側部材５と室内側部材６とによりパネル保持溝７が形成されるとともにパネル保持溝７の溝幅を調整自在に取付けてあり、パネル保持溝７にパネルユニット４（パネル）をはめ込んだ状態で、方立１の室外側部材５と室内側部材６を互いに引き寄せてパネルユニット４を固定してあるので、方立１のパネル保持溝７にパネルユニット４をはめ込む際に、パネル保持溝７の溝幅を固定時の溝幅よりも広くできるので、方立１のパネル保持溝７にパネルユニット４を取付ける作業がしやすい。本カーテンウォールは、方立１の室外側部材５と室内側部材６を互いに引き寄せてパネルユニット４を固定したことで水密性に優れ、さらにパネルユニット４の四周の枠１７，１８，１９の室内側面に気密材３９を設け、気密材３９を方立１及び無目２，３に圧着させることで、水密性がより一層高められる。また、室内側からボルト２９を操作することでパネル保持溝７の溝幅を調整できるので、作業性が一層向上している。
また、本カーテンウォールの施工方法は、上階の室内側から下階の方立１，１間にパネルユニット４を落し込んで取付けることで、足場なしで施工することができる。これにより工期の短縮、コストの削減、作業性の改善が図られる。
さらに本カーテンウォールは、パネルユニット４を方立１，１間に上方から落し込み、無目２，３に係止して取付けるため、パネルユニット４の取付作業性が良好である。パネルユニット４は、上枠１７と下枠１８の２箇所を無目２，３に係止するため、安定して取付けできると共に、安定した水密性を確保できる。さらに、無目２，３の係止部３５，３６と上下枠１７，１８の被係止部３８，４５は、お互いに対向する傾斜面３５ａ，３６ａ，３８ａ，４５ａを有しているため、係止させることで上下枠１７，１８が室内側に引き付けられるため、水密性がより一層高められる。
本カーテンウォールは、方立１，１，…の室内側の押縁１１と、ビジョン部１４のガラス１０の上側に位置する無目３の室内側の押縁８を取外した状態で、ガラス１０を室内側から建て込むことができるので、足場なしで施工することができる。また、ガラス１０の下側に位置する無目２の室外側の押縁９を取外すことで、ガラス１０を室外側に取外すことができるので、室外側からのメンテナンスが可能である。
さらに本カーテンウォールは、図１，４に示すように、パネルユニット４の上枠１７と下枠１８が無目２，３の室外側に重なるように配置され、パネルユニット４の上枠１７と下枠１８がビジョン部１４のガラス１０を支持する部材を兼ねているので、横のフレームの見付けを細くでき、外観及び内観の意匠性が優れている。
また本カーテンウォールは、方立１，１，…の室外側に張り出す室外側部材５を強度部材としたので、方立１，１，…が室内側に張り出さず、室内が広く使える。
さらに本カーテンウォールは、スパンドレル部１５のガラス１６、ビジョン部１４のガラス１０とも、室外側を先付けのガスケット４１，４９で支持したので、シール材に雨が掛かることに起因する室外側面の汚れを防止できる。
【００１７】
本発明は以上に述べた実施形態に限定されない。方立や無目等の各部材の形状、配置等は、適宜変更することができる。本発明のカーテンウォールは、複数の階にまたがって設置されるものに限らず、一つの階に設置されるものであってもよい。パネル（パネルユニット４及びガラス１０）の構成は任意であり、ガラスを用いたものに限らず、金属やセラミックのパネルを用いたものであってもよい。方立は、見込方向に３つ以上の部材に分割してあってもよく、そのうちの２つの部材でパネル保持溝が形成されていればよい。方立のパネル保持溝は、室内側部材を室外側に押し付けることでパネルを固定できるものであってもよい。パネルユニットは、上枠と下枠のどちらか一方のみが無目に係止するものであってもよい。本発明のカーテンウォールは、方立間に上方から落し込んで取付けられるパネル（パネルユニット４）と、方立と無目とで形成される開口部に室内側から取付けられるパネル（ガラス１０）の少なくとも一方を有していればよい。実施形態では、パネル（ガラス１０）上側に位置する無目は室内側に押縁を、パネルの下側に位置する無目は室外側に押縁を有するものとなっているが、パネルの上側に位置する無目は室外側に押縁を、パネルの下側に位置する無目は室内側に押縁を有するものとしていても構わない。
【符号の説明】
【００１８】
１  方立
２  無目
３  無目
４  パネルユニット（パネル）
５  室外側部材
６  室内側部材
７  パネル保持溝
８  押縁（ガラス上側）
９  押縁（ガラス下側）
１０  ガラス（パネル）
１１  押縁（方立室内側）
【図１】
0006719279.tif 000002
【図２】
0006719279.tif 000003
【図３】
0006719279.tif 000004
【図４】
0006719279.tif 000005
【図５】
0006719279.tif 000006
【図６】
0006719279.tif 000007
【図７】
0006719279.tif 000008
【図８】
0006719279.tif 000009
【図９】
0006719279.tif 000010
【図１０】
0006719279.tif 000011
【図１１】
0006719279.tif 000012
【図１２】
0006719279.tif 000013
【図１３】
0006719279.tif 000014
【図１４】
0006719279.tif 000015
【図１５】
0006719279.tif 000016
【図１６】
0006719279.tif 000017
【図１７】
0006719279.tif 000018